(57)【要約】【課題】商品の実際の生産地や加工場所、つまり、商品の出所でなければ生産者情報の印刷を不可能とする印刷システムの提供。【解決手段】プリンタ１は、印刷時に、ＰＨＳ端末（又はＰＨＳモジュール）１６の基地局の通信エリア（シェル）を基に取得された位置情報が所定の位置の範囲内にあるかどうかを判断し、所定の位置の範囲内にあれば予め登録された生産地内であると判断して生産場所又は工場の位置などの生産者情報の印刷を許可する。所定の範囲内にないときは模造品の可能性があると判断にして印刷を禁止する。【選択図】  図２
2005243041.tif 000002
【特許請求の範囲】
【請求項１】
印刷手段と、
位置情報取得手段と、
前記位置情報取得手段により取得された位置情報が所定の位置の範囲内にあるかどうかを判断する判断手段と、
前記判断手段により前記所定の範囲内にあると判断されたときは前記印刷手段の印刷を許可し、所定の範囲内にないと判断されたときは印刷を禁止する印刷制御手段と、
を具備したことを特徴とする印刷システム。
【請求項２】
前記判断手段は、ＰＨＳ若しくは携帯電話の基地局のシェルを基に所定の位置の範囲内にあるかどうかを判断することを特徴とする請求項１記載の印刷システム。
【請求項３】
前記判断手段は、ＧＰＳを基に所定の位置の範囲内にあるかどうかを判断することを特徴とする請求項１記載の印刷システム。
【請求項４】
前記所定の位置の範囲内は商品の生産地に対応するものであり、
前記印刷手段は少なくとも生産者情報を印刷することを特徴とする請求項１ないし３いずれかに記載の印刷システム。
【請求項５】
更にデジタルカメラが接続され、
前記印刷手段は少なくとも生産者情報と、前記デジタルカメラから取り込んだ画像を印刷することを特徴とする請求項４に記載の印刷システム。
【発明の詳細な説明】
【技術分野】
【０００１】
本発明は、生鮮食料等の生産地や加工場所を証明するシステムに関する。
【背景技術】
【０００２】
生鮮食料品などにおいて、生産地を明らかにする手段として生産地表示のラベルが貼られている。
先行特許文献としては、特開２００１−８８９１５号（特許文献１）、特開平７−１７５８６９号（特許文献２）、特開２００２−１５０４３号（特許文献３）がある。
【特許文献１】特開２００１−８８９１５号
【特許文献２】特開平７−１７５８６９号
【特許文献３】特開２００２−１５０４３号
【発明の開示】
【発明が解決しようとする課題】
【０００３】
特許文献１記載の技術は、商品発生者側から流通され、配送される商品において、当該商品に表示し、あるいは表示される商品特性情報の信頼性を高めるとしていて、「各コンピュータに設定される管理装置は、商品発生者と流通管理者間、流通管理者と商品取扱者間、商品発生者と商品取扱者間において相互通信を行う。商品発生者から商品取扱者へ配送、流通される出荷対象商品については、当該商品固有の産地、用途、効能、品質などの商品特性情報が備えられ、被照合データが表示される状態で商品取扱者側へ配送、流通される。商品取扱者においては、商品に表示された被照合データを商品発生者コンピュータあるいは流通管理者コンピュータ側へ送信し、これらのコンピュータに登録される照合データとの間で照合を行った上、固有の商品特性情報の表示について許可を受ける。」と言うものである。
また、特許文献２記載の技術は、商標、商号、原産地表示等を不正に付着した偽物商品を商品流通過程で早期に発見し識別すると言うものであり、「メーカＡで生産された商品を税関を通して問屋、小売店を経て流通させる際に、全ての商品にそれぞれ異なった識別符号を付するとともに、その全ての識別符号をＶＡＮ業者のホストコンピュータに予め登録しておき、商品の流通過程でその商品に付されている識別符号を読取りホストコンピュータに伝送して、登録されている識別符号と伝送されて来た識別符号とが一致するか否かをチェックする。」としている。
また、特許文献３記載の技術は、鮮魚の水揚げ地で日々得られる漁獲マイクロデータを鮮魚産地情報として活用し、漁獲情報がコンピュータ・通信ネットワークを通じて各消費市場へ向けて迅速的確に伝達されるようにして、鮮魚の鮮度低下を極力防ぎながら需要・供給の変化に即応した流通・取引を促進し、鮮魚市場価格の合理的な低減と安定化を図り、需要の拡大を図ると言うものである。ここの中では、「サーバー４ａに保存されているデータベースにアクセスして所望の鮮魚情報を入手する場合について説明する。生産者、流通関係者および消費者はいずれも鮮魚情報を求める鮮魚情報所望者（情報検索者）となり得る。」としている。
しかしながら、上記各特許文献に記載の技術では、貼られているラベルに表示されている生産地が正しいものであるかどうか証明することはできなかった。
【０００４】
例えば、従来の商品ラベルには商品コードや価格データが印刷されているが、生産地名が印刷されていることはあってもそれが正しいかどうかは明らかでなく、生産地や加工地等の不当表示による商品の偽装があっても消費者が見ぬくことはできないといった問題点があった。
【０００５】
また、商品によっては加工場所や流通経路によって商品の品質等が差別され価格が異なるものがあるが、従来は加工場所が印刷或いはスタンプ表示されているものでも生産地と同様に偽装が容易であり、また、流通経路は追跡が容易でないという問題点があった。
【０００６】
本発明は，上記課題を解決するためになされたものであり、商品の実際の生産地や加工場所、つまり、商品の出所でなければ正しいラベル印刷を不可能とする出所印刷システム及び出所確認システムの提供を目的とする。
【課題を解決するための手段】
【０００７】
上記課題を解決するために、請求項１記載の発明では、印刷手段と、位置情報取得手段と、前記位置情報取得手段により取得された位置情報が所定の位置の範囲内にあるかどうかを判断する判断手段と、前記判断手段により前記所定の範囲内にあると判断されたときは前記印刷手段の印刷を許可し、所定の範囲内にないと判断されたときは印刷を禁止する印刷制御手段と、を具備したことを特徴とする印刷システムを提供するものである。
【０００８】
また、請求項２記載の発明では、前記判断手段は、ＰＨＳ若しくは携帯電話の基地局のシェルを基に所定の位置の範囲内にあるかどうかを判断することを特徴とする請求項１記載の印刷システムを提供するものである。
【０００９】
また、請求項３記載の発明では、前記判断手段は、ＧＰＳを基に所定の位置の範囲内にあるかどうかを判断することを特徴とする請求項１記載の印刷システムを提供するものである。
【００１０】
また、請求項４記載の発明では、前記所定の位置の範囲内は商品の生産地に対応するものであり、前記印刷手段は少なくとも生産者情報を印刷することを特徴とする請求項１ないし３いずれかに記載の印刷システムを提供するものである。
【００１１】
また、請求項５記載の発明では、更にデジタルカメラが接続され、前記印刷手段は少なくとも生産者情報と、前記デジタルカメラから取り込んだ画像を印刷することを特徴とする請求項４に記載の印刷システムを提供するものである。
【発明の効果】
【００１２】
商品の実際の生産地や加工場所、つまり、商品の出所でなければ正しいラベル印刷を不可能とする印刷システムを得ることができる。
【発明を実施するための最良の形態】
【００１３】
本発明は、プリンタの位置を商品又は製品の出所（生産者名、生産地、工場名及びこれらの所在地等）を示す位置情報として生産地や製造工場又は加工工場でタグやラベル（以下、ラベル等）にバーコードや２次元コードで印刷し、買主や消費者は商品又は製品に添付されたラベル等に印刷された位置情報を基に商品又は製品の出所を地図上等に表示して確認する商品又は製品の出所確認を行うことができるものである。また、流通経路を確認するように構成することもできる。
なお、ラベル等の印刷はプリンタが登録された場所で使用される場合にのみ可能となるよう制御する。
【００１４】
図１は本発明の出所印刷／出所確認システムの概要を示すフローチャートである。図１で、符号Ａは工業製品や農産物、水産物及びこれらの加工物等の生産者（複数）であり、後述する図３（第１の実施の形態）及び図１５（第２の実施の形態）に示すような位置情報機能付プリンタ（以下、プリンタ１、１’）を備えている。また、符号Ｂはプリント／表示サービスを行なう位置情報サービス提供業者であり、ラベル管理サーバ４と、サーバ５及びプリンタの位置情報及び地図情報等を含むデータベース６とを備えた位置情報サービスセンターを有している。なお、位置情報サービス提供業者Ｂは公の機関又は公認された業界団体等からなることが好ましい。なお、ラベル管理サーバ４は複数のプリンタ１（１’）及びプリンタ１（１’）が印刷するラベル等のフォーマットや後述する流通ノード等を管理する。また、ラベル管理サーバ４とセンター側サーバ５は同一のサーバでよいし、別個でもよい。また、ラベル管理サーバ４とセンター側サーバ５を別個とした場合、ラベル管理サーバ４の運営者を位置情報サービス提供業者Ｂとは別の業者としてもよい。
また、符号Ｃは流通業者、符号Ｄは消費者を示す。なお、ラベル管理サーバ４は通常複数であり、複数のプリンタ１（１’）及びプリンタ１（１’）が印刷するラベル等のフォーマットや後述する流通ノード等を管理する。また、ラベル管理サーバ４の運営者を位置情報サービス提供業者Ｂとは別の業者としてもよい。
（１）登録等  
図１で生産者Ａは位置情報サービス提供業者Ｂのプリント／表示サービスに加入登録し、位置情報サービス提供業者Ｂの規格に準拠したプリンタ１を用意する。なお、プリンタ１（１’）として生産者Ａが既に備えているラベルプリンタに位置情報サービス提供業者Ｂの規格に準拠したインターフェイスを付加し、位置情報機能（つまり、プログラム）をインストールするようにしてもよい。また、この際、データベース６には後述するようにプリンタ１の識別情報とプリンタ１の位置情報が対応付けられて登録される（ステップＰ１）。
（２）ラベル印刷  
次に、生産者Ａはラベルの印刷に先行してパソコン等の端末を用いてラベル管理サーバ４に印刷出力したいラベル等の形状や様式等の登録（図６〜図７）を行なう。ラベル等の登録は商品又は製品の種類に対応付けて行なうことができる。また、変更や追加等の更新登録も随時可能である。また、ラベル登録の際、課金がなされる（ステップＰ２）。
【００１５】
生産者Ａがラベル等の印刷を開始する際、プリンタ１（１’）からラベル管理サーバ４に印刷要求が出され、ラベル管理サーバ４はプリンタ１（１’）の位置照合要求を位置情報サービスセンタに行なう。この際、位置情報サービス提供業者Ｂのサーバ５はプリンタ１（１’）の実際の位置情報（＝印刷位置情報）を取得する（ステップＰ３）。
【００１６】
位置情報サービス業者Ｂのサーバ５はデータベース６に登録されたプリンタ１（１’）の位置情報と取得したプリンタ１（１’）の実際の位置情報を照合し（ステップＰ４）、その結果をラベル管理サーバ４に知らせる（ステップＰ５）。
【００１７】
位置情報の照合結果が「一致」を意味する場合はラベル管理サーバ４はプリンタ１（１’）の登録済みのラベル等の形状データや様式データをプリンタ１に送信すると共に課金を行なう。なお、照合結果が「一致」を意味しない場合はラベル等の印刷を禁止する（ステップＰ６）。  
従って、プリンタ１（１’）はその位置情報の照合結果が「一致」の場合にのみプリンタ１の位置情報（つまり、商品や製品の出所位置情報）を含むラベル等を印刷することができる。つまり、商品等の出所場所以外では当該商品等のラベルを印刷できない（ステップＰ７）。
（３）流通ノード登録  
また、プリンタ１（１’）で印刷されたラベルが添付された商品（単一商品又は同一商品を複数まとめたパッケージ入り商品等）や製品の流通倉庫、集荷所、配送所等（以下、流通ノード）で流通業者Ｃがラベル読取装置（スキャナ７）等でラベルを読み取って得た流通ノードの位置情報を流通経路識別情報（例えば、ラベル識別コード、読取日時、流通ノード情報）と共にラベル管理サーバ４に送信するようにする。また、この際、生産者や経過した流通ルートをパソコン等の端末８又は９に表示して確認することもできる（ステップＰ８）。
【００１８】
ラベル管理サーバ４は流通ノードの位置情報を受信するとそれをラベル識別情報別にメモリに登録する（ステップＰ９）
（４）  出所等確認サービス  
仕入れ先（販売業者）や消費者Ｄはラベル読取装置付き表示端末（スキャナ付きパソコン９等）を用いて所望の商品又は製品のラベルを読み取ると、流通経路識別情報がラベル管理サーバ４に送信される（ステップＰ１０）。
【００１９】
ラベル管理サーバ４は受信した印刷位置情報を位置情報サービスセンタに送信し（ステップＰ１１）、位置情報サービスセンタ側でサーバ５がデータベース６とプリンタ１（１’）の位置情報等を照合・検索し、ヒットした場合に生産者名及び生産場所の地図データをデータラベル管理サーバ４を介して仕入れ先（販売業者）や消費者Ｄの端末９に送信する（ステップＰ１２）。
【００２０】
仕入れ先（販売業者）や消費者Ｄの端末９はサーバ５からの検索結果及び閲覧プログラムを受信して生産場所等を地図上に表示（図１２）することができる（ステップＰ１３）。
【００２１】
なお、上記ステップＰ８、Ｐ９で流通ノードが登録されている場合は、ステップＰ１１でラベル管理サーバ４は受信した流通経路識別情報を基にメモリを検索して流通ノードの位置情報を取り出し、受信した印刷位置情報と共に位置情報サービスセンタに送信し、ステップＰ１２で位置情報サービスセンタ側でサーバ５がデータベース６を検索し、ヒットした場合に生産者名及び流通ノード名、生産場所及び流通ノード名の地図データと流通ノード名、及び閲覧プログラムとを仕入れ先（販売業者）や消費者Ｄの端末９に送信し、ステップＰ１３で流通経路を表示（図１２）することができる。
〔第１の実施形態〕
１−１．システム構成例  
図２は本発明の出所印刷／出所確認システムの一実施例のネットワーク構成を示す図であり、出所印刷／出所確認システム１００は、図３に示すようにＰＨＳ端末（又はＰＨＳモジュール）１６を内蔵又は接続したプリンタ１と、ＰＨＳ基地局２と、基地局２をインターネット等の通信ネットワーク１０に接続するＰＨＳ用接続装置３と、ラベル管理サーバ４（複数）と、位置情報サービスセンタ内のサーバ５及びデータベース６と、ラベル読み取り用のスキャナ７（複数）と、生産者や流通ノード名及び地図等を表示可能なパソコン８（複数）と、ラベル読み取り用のスキャナを有し生産者や流通ノード名及び地図等を表示可能なパソコン９（複数）と、上記ＰＨＳ用接続装置３、ラベル管理サーバ４（複数）、位置サーバ５、ＰＨＳモジュール内蔵のスキャナ７（複数）、パソコン８（複数）及びパソコン９（複数）と接続する通信ネットワーク１０を備えてなる。
【００２２】
なお、本実施の形態ではプリンタ１は無線による位置情報取得手段及びデータ送受信手段としてＰＨＳモジュールを用いるようにしているがこれに限定されない。例えば、ＰＨＳ端末を接続するようにしてもよいし、ＰＨＳに代えて位置登録機能を備えた無線通信端末（例えば、携帯電話器）をプリンタ１に装着するようにし、ＰＨＳ基地局２及びＰＨＳ用接続装置３に代えて無線通信基地局及び無線端末用接続装置を用いるようにしてもよい。
【００２３】
また、位置情報取得手段及びデータ送受信手段として上記ＰＨＳモジュール、ＰＨＳ端末又は無線端末を設けずにプリンタ１に有線通信インターフェイスを設け通信ネットワーク１０と接続するようにし、ＰＨＳ基地局２及びＰＨＳ用接続装置３に代えて交換局を用いるようにしてもよい。この場合の位置登録機能はダイヤル番号によって代替される（つまり、ダイヤル番号はプリンタ毎に特定され、設置場所も特定可能である）。
【００２４】
（イ）位置情報印刷機能付きプリンタ  
図２で位置情報機能付プリンタ１は、プリンタ１に設けられているＰＨＳ等の通信端末と、ＰＨＳ基地局２、ＰＨＳ用接続装置３及び通信ネットワーク１０を介してラベル管理サーバ４にラベルの登録を行なうことができる。この際、プリンタ１はＰＨＳ端末が備えている位置登録機能によりＰＨＳ基地局２からプリンタ１の現在位置情報、つまり、プリンタ１が存在する通信エリア（シェル）の識別情報（以下、ＣＳ−ＩＤ）を取得することができる。
【００２５】
ＰＨＳ端末を用いて通信を行う通信システムでは通信エリアが半径１００〜３００メートル程度といったように狭いので、ＣＳ−ＩＤをプリンタ１の位置情報として用いることができる。また、ＣＳ−ＩＤが特定できればＣＳ−ＩＤ内のプリンタ１を備えた生産地事務所や工場の具体的位置は表示された地図上で簡単に特定できる。
【００２６】
また、プリンタ１の現在位置を含むＣＳ−ＩＤはＰＨＳ基地局２、ＰＨＳ用接続装置３を介してサービス制御局（図示せず）に登録される。つまり、ＰＨＳ端末を備えたプリンタ１が所定のエリア外に移動するとＰＨＳ端末から位置登録要求が出され、新たな位置情報（＝ＣＳ−ＩＤ）が位置登録情報としてサービス制御局に登録されるので、生産地や加工場所を偽装したラベルの印刷を防止できる。
【００２７】
プリンタ１は、また、ラベル印刷装置として、ラベル印刷開始時に通信端末を介してラベル管理サーバ４に印刷要求を送出し、ラベル管理サーバ４から登録済みのラベルデータを受信すると商品や製品の正しい生産（製造）位置（緯度、経度）を含んだラベルの印刷を行なう。
（ロ）基地局  
基地局２は下記（１）〜（６）を含む動作を行なう。  
（１）プリンタ１に設けられたＰＨＳ端末（又はＰＨＳモジュール）との無線回線を介したデータの送受信及びＣＳ−ＩＤ（基地局識別情報）の送信等、
（２）ＰＨＳ用接続装置３を介した通信ネットワーク１０との接続、
（３）ラベル登録時やラベルの印刷開始時にラベル管理サーバ４宛てＰＨＳ基地局２を介して送信されるラベルデータや印刷要求のＰＨＳ用接続装置３及び通信ネットワーク１０を介してのラベル管理サーバ４への送信、
（４）プリンタ１の位置情報の照合結果が「一致」を意味する場合にラベル管理サーバ４からプリンタ１宛て送信されるラベルデータ、課金データ等のＰＨＳ基地局２を介してのプリンタ１への送信、
（５）流通業者が通信モジュール内蔵スキャナ７を用いて商品又は製品に添付（又は貼付）された位置情報付きラベル（以下、ラベル）を読み取った際、ＰＨＳ基地局２、ＰＨＳ用接続装置３及び通信ネットワーク１０を介して行うラベル管理サーバ４宛の、ラベル識別コード、読取日付、流通経路識別情報、流通ノードの位置情報（例えば、流通ノードをエリアとする基地局のＣＳ−ＩＤ）等の送信、
（６）消費者や仕入れ先又は流通業者（以下、消費者等）が出所／流通経路確認の際に、サーバ５からプリンタ１宛て送信される生産者や流通ノードの名称とそれらの地図データ等のＰＨＳ基地局２を介してのプリンタ１への送信。
（ハ）ＰＨＳ用接続装置    
ＰＨＳ用接続装置は下記（１）、（２）を含む動作を行なう。  
（１）ＰＨＳ基地局２と通信ネットワーク１０との接続、  
（２）プリンタ１がラベル印刷を開始する際のＰＨＳサービス制御局に登録されているプリンタ１の位置情報（＝ＣＳ−ＩＤ）のサーバ５への送信。
（二）ラベル管理サーバ  
ラベル管理サーバ４は出所証明装置の一部として大容量の磁気ディスクや光ディスク等の保存メモリ（図４）を備えており、下記（１）〜（６）を含む動作を行なう。
（１）プリンタ１から登録要求のあったラベルデータ等の登録及び課金、
（２）ラベル印刷開始の際にプリンタ１から送信される印刷要求の受信及びサーバ５に対する位置照合要求の送信、
（３）サーバ５からの照合結果の受信及び照合結果＝「一致」の場合のプリンタ１に対する印刷許可と登録済みラベルデータ等の送信又は照合結果＝「不一致」の場合のプリンタ１に対する印刷禁止措置、
（４）流通業者が流通ノードで商品ラベルを読み取った場合に、ＰＨＳ基地局２、ＰＨＳ用接続装置３及び通信ネットワーク１０経由で送信されるラベル識別コード、読取日付、流通ノード識別情報、流通ノードの位置情報（ＣＳ−ＩＤ）等の保存メモリへの記憶、
（５）出所／流通経路確認の際にスキャナ等から受信する生産現場や工場の位置（緯度、経度）を含む商品（製品）確認要求の受信及びサーバ５に対する地図送信要求の送信等、
（６）サーバ５から受信した検索結果（地図データ等）のプリンタ１への送信。
（ホ）位置情報サービスセンタのサーバ  
サーバ５は位置証明装置の一部としてデータベース６と接続し、下記（１）〜（５）を含む動作を行なう。  
（１）生産者からサービス申込があった際、プリンタ１の識別情報と、プリンタ１の設置場所を通信エリアとするＣＳ−ＩＤのデータベース６への登録、
（２）ラベル登録時にラベル管理サーバ４からの要求によりラベル登録するプリンタのＣＳ−ＩＤに対応する地図データのラベル管理サーバ４への送信、
（３）ラベル管理サーバ４から通信ネットワーク１０を介して照合要求を受け取った場合に、プリンタ１が通信エリアとするＣＳ−ＩＤのＰＨＳ用接続装置３を介してのＰＨＳサービス制御局からの取得、上記（１）でデータベース６に登録してある当該プリンタ１のＣＳ−ＩＤと取得したＣＳ−ＩＤとの比較、及び照合結果（「一致」又は「不一致」を意味するデータ）の通信ネットワーク１０を介してのラベル管理サーバ４への送信、
（４）ラベル管理サーバから地図送信要求があった場合のデータベース６の検索、、
（５）検索結果（地図データ等）のラベル管理サーバ４への送信。
（へ）データベース  
データベース６は位置証明装置の一部として、図５に示すように位置情報データを複数含む位置情報ファイル６１と地図データファイル６２を格納している。
（ト）通信モジュール内蔵スキャナ、パソコン  
スキャナ７は各流通ノード（２）に設置され、ＰＨＳモジュール等の位置登録機能を備えた無線通信モジュールを内蔵し、流通ノードで商品又は製品に添付（貼付）されたラベルから読み取ったデータをＰＨＳ基地局２、ＰＨＳ用接続装置３及び通信ネットワーク１０を介してラベル管理サーバ４に送信する。また、ＰＨＳサ―ビス制御局を介して流通ノードの位置情報（ＣＳ−ＩＤ）をラベル管理サーバ４に送信する。
【００２８】
また、パソコン８は流通ノードで読み取ったラベルが添付（貼付）されている商品又は製品の出所や流通経路の表示端末として用いられる。また、実施例では閲覧プログラムはラベル管理サーバ４から読取開始時にダウンロードするようにしているが、予めパソコン８にインストールしておくようにしてもよい。
（チ）スキャナ付きパソコン    
スキャナ付きパソコン９は仕入れ先や消費者等が出所流通経路確認を行う際に用いることができ、消費者等がスキャナでラベルを読み取ると通信ネットワーク１０を介してラベル管理サーバ４に送信する。また、ラベル管理サーバ４から受信した生産者名や流通ノード名、地図データ（緯度、経度）を図１１に示すように地図上に生産者の位置を表示したり、図１２に示すように地図上に流通経路等を表示することができる。また、実施例では閲覧プログラムはラベル管理サーバ４から読取開始時にダウンロードするようにしているが、予めスキャナ付きパソコン９にインストールしておくようにしてもよい。
【００２９】
１−２．出所印刷システム  
（イ）位置情報機能付プリンタ  
図３は位置情報機能付プリンタ（以下、プリンタ１）の一実施例の構成例を示すブロック図であり、プリンタ１は、操作部１１、データ入力インターフェイス１２、制御部１３、一時記憶メモリ１４、表示部１５、ＰＨＳ端末（又は、ＰＨＳモジュール）１６、通信インターフェイス１７、印刷イメージ生成部１８及び印刷出力部１９を備えている。なお、ＰＨＳ端末（又は、ＰＨＳモジュール）１６に代えて位置登録機能を備えた無線通信端末を備えるようにしてもよい。また、ＰＨＳ端末（又は、ＰＨＳモジュール）１６を設けずに、通信インターフェイス１７と通信ネットワークを接続するようにしてもよい。
【００３０】
図３で、操作部１１は電源スイッチ、キーボード及び機能キー等のキー及びスイッチを有しており、ユーザはこれ等のキーやスイッチを操作してプリンタの起動時の電源投入、ラベルデータ登録時の文字入力、外部撮像装置からの画像データ取り込み指示、印刷開始指示等の操作を行なう。
【００３１】
また、データ入力インターフェイス１２はデジタルカメラ等の外部撮像装置で撮影した画像データの取り込みに用いられ、外部撮像装置とはＲＳ２３２Ｃ等のケーブルで接続可能である。なお、データ入力インターフェイス１２の代わりに赤外線データを送受信する赤外線送受信装置或いはブルートゥ―スのような近接通信手段を備えるようにしてもよい。
【００３２】
制御部１３はＣＰＵ（又はＭＰＵ）と制御用プログラムとしてのプリントコントローラ、ラベル管理サーバ４からダウンロードしたラベル作成登録プログラムやラベルデータ登録用ＨＴＭＬファイル等を格納したプログラム格納メモリを有し、プリンタ１全体の動作制御を行なうと共にプリンタコントローラによるラベル印刷やラベル作成登録プログラムによる印刷ラベルの作成・登録を実行する。なお、ラベル作成登録プログラムやラベルデータ登録用ＨＴＭＬファイルはラベル作成・登録の都度ラベル管理サーバ４のプログラムファイル４４から一時記憶メモリ１４にダウンロードするようにしてもよい。
【００３３】
一時記憶メモリ１４はＲＡＭ等からなり作業メモリとして用いられ、ラベルデータ等を一時記憶する。また、表示部１５はラベルデータの登録時にラベル作成登録用画面の表示を行なう。
【００３４】
ＰＨＳ１６はＰＨＳモジュール又はＰＨＳ端末からなり、プリンタ１の位置情報取得手段及びデータ送受信手段として機能する。つまり、プリンタ１が移動してプリンタ１が属する通信エリア（シェル）が変化するとＰＨＳ１６はＰＨＳ基地局２、ＰＨＳ用接続装置３を介して変更後の通信エリアを示すエリア番号（ＣＳ−ＩＤ）をＰＨＳサービス制御局に送って登録要求する。更に、ＰＨＳ１６はラベル管理サーバ４にダイヤルアップ接続してラベルデータ等の送受信や印刷要求の送信等を行なう。また、通信インターフェイス１７はＰＨＳ１６のプリンタ側インターフェイスであり、ＰＨＳ１６を介して行なう印刷要求やラベルデータ等の送受信を行なう。
【００３５】
なお、上述したようにＰＨＳ端末（又は、ＰＨＳモジュール）１６を設けずに、通信インターフェイス１７と通信ネットワーク１０を接続するようにした場合は、通信インターフェイス１７としては通信ネットワーク１０とのデータの授受を行う通信モジュールを用いることとなる。
【００３６】
印刷イメージ生成部１８はラベル管理サーバ４から受け取ったラベルデータ及びプリンタ１の位置（緯度、経度）をプリントコントローラの制御下で変換して所定のラベルフォーマットの印刷イメージを生成する。また、印刷出力部１９は印刷イメージ生成部１８で生成された印刷イメージをラベル上に印刷する。なお、実施例ではラベルにはライセンスコードをバーコードで印刷し、ラベル識別コードや印刷位置情報を含む発送元情報や流通経路追跡情報として用いられる流通ノード識別情報は偽造や変造を防ぐためにホログラムや地紋等の２次元コードで印刷している（図９）。
【００３７】
なお、上記図３の例ではプリンタ１を専用プリンタとしたが、パソコン及びパソコンに接続するプリンタを用いてプリンタ１を構成することもできる。この場合、操作部１１、データ入力インターフェイス１２、制御部１３、一時記憶メモリ１４、表示部１５、通信インターフェイス１７はパソコン本体側にあってＰＨＳモジュール１６を内蔵またはＰＨＳ端末を接続する。また、印刷イメージ生成部１８及び印刷出力部１９はパソコンに接続されるプリンタの構成である。また、プリントコントローラはパソコンに接続するプリンタにインストールされる。
（ロ）ラベル管理サーバの保存メモリ  
図４はラベル管理サーバ４の保存メモリのファイル構成例の説明図であり、保存メモリ４０は生産者別の基本データと付加データからなるラベルデータを複数記憶してなるラベルデータファイル４１、ラベル別に流通ノードの位置情報（ＣＳ−ＩＤ）を記憶してなる流通ノードファイル４２、プリンタ１の設置者に対する課金ファイル４３、及びパソコン８、９にダウンロードする閲覧プログラム等のプログラムファイル４４等を有している。
【００３８】
なお、ラベルデータ４１０は商品別のラベル識別コード４１１、プリンタ識別コード４１２、フォーマットデータ４１３、フォーマットデータ４１３によって表示項目、データ種別及び表示位置が規定される印刷データ４１４を含み、印刷データとして印刷位置情報（＝生産場所又は工場の位置＝商品又は製品の出所位置情報）、発送元（生産者又は製造者）情報、商品／製品情報（品名、価格、数量（重量）、サイズ）、配送先（顧客）情報、運送業者情報（運送業社名、運賃区分（後払い／先払い）、運賃）等がある。また、印刷データとしてイメージデータを含むこともできる。ラベルファイルデータ４１０はプリンタ１又はパソコン等の端末を用いてラベル管理サーバ４に登録される。
（ハ）位置情報提供サービスセンタのデータベースの構成  
図５は位置情報提供サービスセンタのデータベース６のファイル構成例の説明図であり、データベース６は登録されたプリンタ１のプリンタコード６１１と、当該プリンタ１の位置情報として当該プリンタ１が属するＣＳ−ＩＤ（基地局識別情報＝生産場所又は工場の位置を含む通信エリア＝商品又は製品の出所位置情報）６１２、プリンタ１に表示する地図（ＣＳ−ＩＤで特定されるＰＨＳ基地局の通信エリアを含む）の地図番号６１３、プリンタ１の設置者、つまり、サービス加入者の住所や電話番号、支払口座等と登録情報やライセンスコードを含む加入者情報６１４等からなる位置情報データ６１０を記憶する位置情報ファイル６１と、地図番号で検索可能に分類された複数の地図データファイル６２とを含んでいる。
（二）ラベルフォーマット選択画面  
図６はラベル登録用画面の一実施例を示す図であり、ユーザ（生産者、メーカ）がプリンタ１の「ラベル作成・登録選択」機能を選ぶと図示のようなラベルフォーマット選択ホームページ５０が表示される。
【００３９】
ユーザはこのラベルフォーマット選択ホームページ５０の登録済みラベル表示欄５５に表示される登録済みラベルのフォーマットを用いて簡単にユーザ用のラベルを作成して登録することができる。また、登録済みラベル以外に新たにラベルフォーマットを作成して登録することもできる。
【００４０】
図６で、符号５１は作成ラベル番号入力欄を示し、ユーザは登録済みラベル表示欄５５に表示された登録済みラベルのうちから所望のフォーマットのラベルを選択して作成ラベル番号入力欄５１にキー入力する。なお、作成ラベル選択番号入力欄５１に「Ｒ」を入力すると新規ラベルフォーマットの作成画面（図示せず）が表示されるので、ユーザは画面の案内表示に従って新規ラベルフォーマットを作成することができる。図示の例では登録済みラベルのうちの「（１）生産者ラベル」が選択されている。
【００４１】
符号５２は料金表示欄であり、ラベル登録の際の課金額を表示する。図示の例では「（１）生産者ラベル」の登録に対する課金額「１５０円」が表示されている。また、符号５３はユーザのクレジット番号入力欄を示す。なお、課金額の支払方法はクレジットに限定されない。
【００４２】
また、符号５４は確認欄であり、ユーザがクレジット番号を入力すると図７に示すようなラベル作成・登録ページが表示される。登録画面の作成が完了し、生産位置データの登録が完了すると再度図６のラベルフォーマット選択ホームページ５０に戻るので、マウスで確認欄５４をクリックするとラベル管理サーバ４へのアップロードが開始される。
【００４３】
登録済みラベル表示欄５５はラベル管理サーバ４に登録されている登録済みラベルを表示する欄であり、図示の例ではラベル名５５１、用途５５２、ラベルイメージ５５３、登録料金（標準課金額）５５４、割引額５５５等が表示されている。なお、割引額５５５はユーザのサービス利用頻度等に応じて適用される課金額である。
（ホ）ラベル作成・登録画面
図７はラベル作成・登録用のラベル作成・登録画面の一実施例を示す図であり、ラベル作成・登録画面作成ページ７０には操作ガイド７１と選択されたラベルフォーマット（符号７２、７３の部分）が表示される。図示の例で符号７２はイメージ入力／表示欄であり、符号７３はデータ入力／表示欄である。また、符号７４は位置を示すカーソルである。
【００４４】
ユーザは操作ガイド７１に従ってプリンタ１の操作部１１のキーボードや機能選択キーまたは画面の欄外に表示されるボタンをクリックすることにより、ラベルフォーマットのイメージ入力／表示欄７２にイメージを、データ入力／表示欄７３にデータを入力或いは表示することができる。
【００４５】
図示の例は操作ガイド７１の「イメージ入力」指示により、プリンタ１に接続されたデジタルカメラ等の撮像装置から入力した生産者の自己アピール画像及び文言（イメージ）を取り込んでイメージ入力／表示欄７２から、次の操作である「印刷位置登録」指示を行なっている場面を示している。
【００４６】
また、この例で、データ入力／表示欄７３は商品の発送元（生産者）の名称、住所、電話番号等を入力／表示する発送元欄７３１、商品の配送先の名称、住所、電話番号等を入力／表示する配送先欄７３２、ラベル識別コード及びプリンタの設置位置（緯度、経度）を含む発送元コード欄７３３、発送番号欄７３４、運送業者情報欄７３５、顧客コード欄７３６、商品名、数量、重量等の配送商品情報欄７３７及びプリンタユーザに対するサービス提供業者のライセンスコード表示欄７３８を備えている。
【００４７】
なお、実施例では発送元コード欄７３３、運送業者コード欄７３５には自動的に決定されたコードが表示され、発送番号欄７３４は空白、配送商品情報欄７３７には予め登録された商品情報項目名とプリンタ１の操作部１１から入力された商品名、数量、重量等が表示されるが、これらを図９の印刷済み出荷伝票９０のように２次元コード化した結果を表示するようにしてもよい。
【００４８】
ここで、図７の例では発送元欄７３１、配送先欄７３２、発送番号欄７３４、運送業者情報欄７３５、顧客コード欄７３６、商品名、数量、重量等の配送商品情報欄７３７へのデータが入力され、カーソル７４が発送元コード欄７３３に戻った状態を示し、ユーザが各項目内容を確認後、操作ガイド７１の案内ボタン「印刷位置登録」をクリックすると図８の印刷位置登録ページ８０が表示され、位置登録ページでプリンタの設置位置をクリックして確認操作を行なうと再度、図７の登録画面作成ページ７０に戻り、カーソル７４が指す発送元コード欄７３３にラベル識別コードとプリンタの設置位置を含む発送元コードが表示される。なお、ライセンスコード表示欄７３８には自動的にバーコードが表示される。
（へ）印刷位置登録画面  
図８はラベル作成・登録時に行なうプリンタの設置位置、つまり、印刷位置登録用の印刷位置登録画面の一実施例を示す図であり、印刷位置登録ページ８０で、符号８１はラベル管理サーバ４に登録済みの位置、つまり、生産（製造者）の生産現場や工場の位置を含む地図、符号８２はプリンタ１の位置を含む通信エリア、符号８３は生産（製造者）の生産現場又は工場の位置を示すカーソル、符号８４は地図８１の拡大指示ボタン、符号８５は縮小指示ボタン、符号８６は登録決定ボタンを示す。
【００４９】
図７に示したラベル作成・登録ページ７０で操作ガイド７１の案内ボタン「印刷位置登録」がクリックされると、図８の印刷位置登録ページ８０が表示され、プリンタ１の登録位置を含む地図８１とデータベース６に登録されているＣＳ−ＩＤに対応する通信エリア８２がプリンタ１に表示されるので、ユーザはカーソル８３を地図８１上で移動させて、プリンタ１の設置位置、つまり、印刷位置を指定することができる。印刷位置の指定、確認後、決定ボタン８６をクリックすると図７のラベル作成・登録ページ７０に戻り、ラベル識別コードと指定された印刷位置を含む発送元データが作成される。
（ト）印刷済みラベル  
図９は出所印刷システムによって印刷された印刷位置情報付きラベルの一実施例を示す図であり、印刷位置情報付きラベルの例として出荷伝票９０が示されている。図示の例で、符号９２、９３、符号９３１〜符号９３８は印刷欄であり、図７に示したラベル作成・登録ページ７０の符号７２、７３、符号７３１〜符号７３８と同様の意味を有している。但し、印刷位置を含む発送元コード欄９３３、運送業者コード欄９３５及び顧客コード欄９３６には２次元コードが印刷されている。また、発送番号欄９３４には印刷時に発送番号が自動印刷され、配送商品情報欄９３７には出荷商品（製品）名、数量、重量、サイズ等が印刷される。なお、印刷時には発送番号欄９３４及び配送商品情報欄９３７を空白とし、出荷時に手書きで記入するか或いはスタンプを押すようにしてもよい。
（チ）出所印刷システムの動作  
図１０は図２に示した出所印刷システムの動作例を示すフローチャートであり、ユーザ（生産（製造）者）は印刷するラベルをＰＨＳを備えたプリンタ１を用いて作成してラベル管理サーバ４に登録しておき、所望のタイミングで登録したラベルデータを取り寄せて正しい印刷位置情報（＝プリンタ１の登録済み位置）を印刷したラベルを印刷することができる。なお、登録済みのラベルをそのまま印刷に利用する場合は、下記ステップＳ１〜ステップＳ６を省略し、ステップＳ７のラベル印刷動作から開始するものとする。
【００５０】
＜ラベル作成・登録動作＞  
図１０で、ユーザがプリンタ１の操作部１１のファンクションキーで「ラベル作成・登録」機能を選択すると、プリンタ１はＰＨＳ１６によりＰＨＳ基地局２、ＰＨＳ用接続装置３及び通信ネットワーク１０を介してラベル管理サーバ４とダイヤルアップ接続され、制御部１３は通信インターフェイス１７、ＰＨＳ１６を介してラベルリスト送信要求をラベル管理サーバ４宛て送信する。また、この際ＰＨＳ基地局２からＰＨＳ１６にＣＳ−ＩＤ（位置登録エリアを示す登録番号）が送信され、ＰＨＳ１６は自モジュール内に記憶されたＣＳ−ＩＤと基地局２から送信されたＣＳ−ＩＤを比較し、不一致になった場合には位置登録を更新するための位置登録要求をＰＨＳ基地局宛て送信する（ステップＳ１）。
【００５１】
ラベル管理サーバ４はプリンタ１からラベルリスト送信要求を受信すると、保存メモリに登録してある各ラベルのうち、ラベルリスト送信要求送信元のプリンタ１の登録済みラベル（ラベル識別データを含む）のリスト（登録済みラベルリスト）を取り出し、ラベルリスト及び各ラベルの登録料金を通信ネットワーク１０、ＰＨＳ接続装置３、ＰＨＳ基地局２の経路でラベルリスト送信要求送信元のプリンタ１宛て送信する（ステップＳ２）。
【００５２】
プリンタ１はラベル管理サーバ４から登録済みラベルリストを受信すると、ラベルフォーマット選択画面（図６の例でラベルフォーマット選択ホームページ５０）に登録済みラベルのリストを一覧表示して、ユーザの選択を促す。ユーザがラベルフォーマット選択画面に表示された登録済みラベルリストから作成するラベルを選択すると料金が表示され、支払方法を入力（図６の例ではクレジット口座番号を入力）するとＰＨＳ１６を介してラベル識別コードを含むラベルデータ送信要求がラベル管理サーバ４宛て送信される。なお、ラベルフォーマット選択画面に表示された登録済みラベルの中に所望のフォーマットがない場合にユーザが文字「Ｒ」を入力すると「ラベルフォーマット新規作成処理」（図示せず）に遷移し、所望のラベルフォーマットを作成することができる（ステップＳ３）。
【００５３】
ラベル管理サーバ４はプリンタ１からラベルデータ送信要求を受信すると、保存メモリに登録してあるラベルデータのうちラベル送信要求に含まれているラベル識別コードと識別コードが一致するラベルデータを保存メモリから取り出し、ラベル作成・登録要求送信元のプリンタ１宛て送信すると共に登録料金を課金ファイル４３に記憶する（ステップＳ４）。
【００５４】
プリンタ１はラベル管理サーバ４から選択したラベルデータを受信すると、ラベル作成・登録画面（図７の例でラベル作成・登録ページ７０）に受信したラベルデータに基くラベルフォーマットでイメージデータや文字データを表示し、ユーザの追加入力を促す。ユーザがラベルフォーマットの各入力欄にデータをキー入力してから図８に示すような位置登録画面（図８の例では位置登録ページ８０）で印刷位置を入力すると、作成されたラベルデータがＰＨＳ１６を介してラベル管理サーバ４宛て送信される（ステップＳ５）。
【００５５】
ラベル管理サーバ４はプリンタ１からラベルデータを受信すると、ラベル識別コードを生成し、受信したラベルデータと共に保存メモリのラベルデータファイル４１に追加登録する（ステップＳ６）。
＜ラベル印刷動作＞  
ユーザがプリンタ１の操作部１１のファンクションキーで「ラベル印刷」機能を選択すると、ＰＨＳ１６、ＰＨＳ基地局２、ＰＨＳ用接続装置３及び通信ネットワーク１０を介してラベル管理サーバ４とプリンタ１（つまり、ＰＨＳ１６）がダイヤルアップ接続され、制御部１３は通信インターフェイス１７、ＰＨＳ１６を介してプリンタ識別コードを含む印刷要求をラベル管理サーバ宛て送信する。また、この際ＰＨＳ基地局２からＰＨＳ１６にＣＳ−ＩＤ（位置登録エリアを示す登録番号）が送信され、ＰＨＳ１６は自モジュール内に記憶されたＣＳ−ＩＤと基地局２から送信されたＣＳ−ＩＤを比較し、不一致になった場合には位置登録を更新するための位置登録要求をＰＨＳ基地局宛て送信する。なお、上記ステップＳ６から引き続いた動作の場合は既にステップＳ１でラベル管理サーバ４とプリンタ１はダイヤルアップ接続しているのでこのステップＳ７ではダイヤルアップ接続動作は省略される（ステップＳ７）。
【００５６】
ラベル管理サーバ４はプリンタ１から印刷要求を受信すると、受信した印刷要求に含まれているプリンタ識別コードを取り出してこのプリンタ識別コードを含む位置照合要求を生成してサーバ５宛て通信ネットワーク１０を介して送信する（ステップＳ８）。
【００５７】
サーバ５はラベル管理サーバ４から位置照合要求を受信すると、通信ネットワーク１０及びＰＨＳ用接続装置３を介してＰＨＳサービス制御局（図示せず）に対しプリンタ１に内蔵又は接続されているＰＨＳ１６の現在のＣＳ−ＩＤの問い合わせを行ない、そのＣＳ−ＩＤを取得する（ステップＳ９）。
【００５８】
次に、サーバ５はラベル管理サーバ４から受信した位置照合要求に含まれているプリンタ識別コードをキーとしてデータベース６の位置情報ファイル６１（図５）を検索してプリンタ１の登録済みＣＳ−ＩＤを取り出し、ＰＨＳサービス制御局から取得した現在のＣＳ−ＩＤと比較して比較結果（位置照合結果）を位置照合要求送信元のラベル管理サーバ４宛て送信する。本実施の形態では、プリンタ１が登録された位置を含む通信エリア内にある場合は照合結果は「一致」とされ、プリンタ１が登録された位置を含む通信エリア外にある場合、つまり、プリンタ１が持ち出されて移動されたか、異なるプリンタを用いようとしている場合は照合結果は「不一致」とされる（ステップＳ１０）。
【００５９】
ラベル管理サーバ４はサーバ５から位置照合結果を受信すると、照合結果が「不一致」を意味する場合は印刷禁止コード及び印刷不能メッセージ（例えば、「このプリンタによるラベル印刷はできません」）を印刷要求送信元のプリンタ１に送信し、照合結果が「一致」を意味する場合は印刷許可コード及び保存メモリに登録してある各ラベルのうち、印刷要求送信元のプリンタ１の登録済みラベル（ラベル識別データを含む）のリスト及び各ラベルの登録料金をラベル作成・登録要求送信元のプリンタ１宛て送信する（ステップＳ１１）。
【００６０】
プリンタ１はラベル管理サーバ４から印刷禁止コード及び印刷不能メッセージを受信すると印刷不能メッセージを表示部１５に表示して電源オフとする。また、
印刷許可コード及び登録済みラベルリストを受信すると印刷ラベル選択画面（図６に示したラベルフォーマット選択ホームページ５０とほぼ同様のフォーマットのラベル選択画面（図示略））に受信した登録済みのラベルリストを一覧表示してユーザに印刷ラベルの選択を促す。ユーザが印刷するラベルを選択すると料金が表示され、支払方法を入力（図６の例ではクレジット口座番号を入力）すると制御部１３はＰＨＳ１６を介してラベル識別コードを含むラベルデータ送信要求をラベル管理サーバ４宛て送信する（ステップＳ１２）。
【００６１】
ラベル管理サーバ４はプリンタ１からラベルデータ送信要求を受信すると、ラベル識別コードをキーとしてラベルデータファイル４１を検索して要求のあったラベルデータを取り出してラベルデータ送信要求元のプリンタ１に送信する（ステップＳ１３）。
【００６２】
プリンタ１はラベル管理サーバ４からラベルデータを受信すると、それを表示部１５に表示し、キー入力等による入力必要項目がある場合はユーザにそれらの項目へのキー入力を促し、確認入力がなされるとラベルデータを印刷イメージ生成部１８に与えて印刷イメージを生成させ、印刷出力部１９で必要枚数分のラベル印刷を行なわせる。（ステップＳ１４）。
【００６３】
上記図１０のフローチャートに示した動作により、プリンタが登録された位置から移動すると印刷ラベルの印刷が制限されるので、商品又は製品の生産者以外の者がその生産者の商品又は製品のラベルを印刷しようとしても商品又は製品の出所が証明されたラベルを印刷をすることができない。
【００６４】
１−３．出所確認システム  
（イ）生産者確認画面  
図１１は出所確認システムによる生産者確認時に表示される生産者確認画面の一実施例を示す図である。生産者確認ページ１１０で、符号１１１は読み取ったラベルが添付または貼付されている商品又は製品の生産（製造者）の生産現場や工場の位置を含む地図、符号１１２の×印は生産現場又は製造工場の位置、符号１１３は表示された生産者やメーカの名称や住所等を表示する欄である。また、符号１１４は地図１１１の拡大指示ボタン、１１５は縮小指示ボタン、符号１１６はこのラベルが貼付された商品又は商品の流通経路確認指示ボタン、符号１１７は確認終了ボタンである。
【００６５】
図１１で消費者等は符号１１２の×印をクリックすることによりラベルをパソコン等の表示端末に表示することができる。また、流通経路確認指示ボタン１１６をクリックすると商品又は製品の流通経路確認画面（図１２）が表示される。
（ロ）流通経路確認画面  
図１２は商品又は製品の流通経路表示を行なう流通経路確認画面の一実施例を示す図である。  
流通経路確認ページ１２０で、符号１２１は流通経路を地図上に示す流通経路表示欄であり、流通経路表示欄１２１に表示されている記号（１）、（２）、（３）、（４）は流通ノードを示す。図示の例でノード（１）は発送元（始点）、ノード（４）は発送先（終点）であり、ノード（２）、（３）は流通業者（中間経由点）である。また、ユーザが流通経路表示欄１２１に表示されているノードをクリックするとそのノードに対応する発送元、流通業者又は発送先確認ページが表示される。また、符号１２２は経路履歴表示欄であり、流通経路表示欄１２１に表示されている各ノードの名称や住所、業務内容、経由日付等が表示される。また、符号１２３は確認終了ボタンである。
（ハ）出所確認システムの動作  
図１３は出所確認システムの動作例を示すフローチャートである。  
消費者等は図２に示したスキャナ７やスキャナ付きパソコン９のスキャナで商品又は製品に添付（貼付）されたラベルを読み取って、パソコン８又はスキャナ付きパソコン９に商品の生産地や製造工場の場所を表示（図１１）させて確認したり、流通経路を表示（図１２）して確認することができる。なお、図１３のフローチャートの説明では消費者等はスキャナ付パソコン９等のパソコンスキャナ付表示端末でラベルを読取るものとして説明したが、ラベル読取装置（スキャナ７）と表示端末（パソコン８）が別体の場合もほぼ同様である。
【００６６】
なお、下記フローチャートで流通経路の確認表示（ステップＴ６〜Ｔ１１）を行なう場合、各流通ノード（発送元、配送センタ、中間業者、発送先）で商品又は製品に添付（貼付）された印刷ラベルをＧＰＳを内蔵したスキャナ７で読み取るものとする。この際、読取によって取得されたプリンタ識別情報とＰＨＳで取得される流通ノードの位置情報（ＣＳ−ＩＤ）がラベル管理サーバ４に送信され、ラベル管理サーバ４は、スキャナ７からプリンタ識別情報とＰＨＳで取得される流通ノードの位置情報（ＣＳ−ＩＤ）を受信するとそれらを保存メモリに登録する。
【００６７】
＜生産者確認表示動作＞  
図１３で、消費者等がスキャナ付パソコン９のスキャナで商品又は製品に添付（貼付）されているラベルを読み取ると、パソコン９はそのラベルのラベル識別コードを含む生産（製造）者確認要求を生成し、通信ネットワーク１０を介してラベル管理サーバ４宛て送信する（ステップＴ１）。
【００６８】
ラベル管理サーバ４はパソコン９から生産（製造）者確認要求を受信すると、受信した生産{製造）者確認要求に含まれているラベル識別コードをキーとして保存メモリ４０のラベルデータファイル４１を検索して生産場所又は工場の位置（緯度、経度）を取り出し、位置データを含む地図送信要求を通信ネットワーク１０を介してサーバ５に送信する（ステップＴ２）。
【００６９】
サーバ５はラベル管理サーバ４から地図送信要求を受信すると、データベース６の地図データファイル６２を検索して地図送信要求に含まれている位置（緯度、経度）を含む地図番号の地図データを取り出し、通信ネットワーク１０を介してラベル管理サーバ４に送信する（ステップＴ３）。
【００７０】
ラベル管理サーバ４はパソコン９から地図データを受信すると、発送元（生産者、メーカ）名や住所等の発送元情報及び生産者確認用閲覧プログラムを取り出し、地図データ、発送元情報及び閲覧プログラムを通信ネットワーク１０を介してパソコン９に送信する（ステップＴ４）。
【００７１】
パソコン９はラベル管理サーバ４から地図データ、発送元情報及び閲覧プログラムを受信すると、図１１に示したような生産者確認画面（図１１の例では生産者確認ページ１１０）を表示する（ステップＴ５）。
【００７２】
＜流通経路表示動作＞  
ここで、消費者等がパソコン９で流通経路確認指示ボタン（１１６）をクリックするとステップＴ７の流通経路確認サービスに遷移し、生産者確認画面で確認終了ボタン（１１７）をクリックすると表示サービスを終了する（ステップＴ６）。
【００７３】
流通経路確認指示ボタン（１１６）がクリックされると、パソコン９はそのラベルのラベル識別コードを含む流通経路確認要求を生成し、通信ネットワーク１０を介してラベル管理サーバ４宛て送信する（ステップＴ７）。
【００７４】
ラベル管理サーバ４はパソコン９から流通経路確認要求を受信すると、受信した商品（製品）確認要求に含まれているラベル識別コードをキーとして保存メモリ４０の流通ノードファイル４２を検索して流通ノード（複数）を通信エリアとするＣＳ−ＩＤ（複数）、つまり、流通ノードの位置情報を取り出し、各ＣＳ−ＩＤを含む地図送信要求を通信ネットワーク１０を介してサーバ５に送信する（ステップＴ８）。
【００７５】
サーバ５はラベル管理サーバ４から地図送信要求を受信すると、データベース６の地図データファイル６２を検索して地図送信要求に含まれている各ＣＳ−ＩＤを含む地図番号の地図データ（通常は広域地図）を取り出し、通信ネットワーク１０を介してラベル管理サーバ４に送信する（ステップＴ９）。
【００７６】
ラベル管理サーバ４はパソコン９から地図データを受信すると、各流通ノード名や所在地の流通履歴情報及び流通経路確認用閲覧プログラムを取り出し、地図データ、流通履歴情報及び閲覧プログラムを通信ネットワーク１０を介してパソコン９に送信する（ステップＴ１０）。
【００７７】
パソコン９はラベル管理サーバ４から地図データ、流通履歴情報及び閲覧プログラムを受信すると、図１２に示したような流通経路確認画面（図１２の例では流通経路確認ページ１２０）を表示する。なお、ここで、消費者等がパソコン９で確認終了ボタン（１２３）をクリックすると表示サービスを終了する（ステップＴ１１）。
【００７８】
上記図１３のフローチャートに示す表示サービス動作により、消費者等は商品又は製品に添付（貼付）されているラベルを読み取って生産者や流通経路を確認することができるので生産者の真正な商品や製品以外の偽ブランド商品（製品）を排除することができる。
【００７９】
なお、上記図１３のフローチャートでは生産者表示動作（ステップＴ１〜Ｔ５）と流通経路表示動作（ステップＴ６〜Ｔ１１）を一連の動作としたがステップＴ１〜Ｔ５とステップＴ６〜Ｔ１１を別々のプログラムモジュールとして構成し、パソコン等の表示端末で「生産者確認」機能又は「流通経路確認」機能を選択するとそれぞれのプログラムを起動して対応する表示処理を実行するように構成してもよい。
【００８０】
また、第１の実施の形態では位置情報プリンタはＰＨＳを内蔵又は接続するように構成し、ＰＨＳの機能を利用してＰＨＳを位置情報プリンタの位置情報取得手段及びデータ送受信手段として用いるように構成したが位置情報プリンタの位置情報取得方法はＰＨＳ又は携帯電話機等の位置登録機能を有する通信モジュールや通信端末によるものに限定されない。
【００８１】
〔第２の実施の形態〕
本実施の形態はＧＰＳ受信装置のような自己位置取得手段を位置情報プリンタの位置情報取得手段として用いる。
【００８２】
２−１．システム構成例  
図１４は本発明の出所印刷／出所確認システムの一実施例のネットワーク構成を示す図であり、出所印刷／出所確認サービスシステム２００は、図１５に示すようにＧＰＳ受信装置を内蔵又は接続したプリンタ１’と、ラベル管理サーバ４（複数）と、位置情報サービスセンタ内のサーバ５及びデータベース６と、スキャナ７（複数）と、パソコン８（複数）と、スキャナ付きパソコン９（複数）と、上記ラベル管理サーバ４（複数）、位置サーバ５、ＧＰＳモジュール内蔵のスキャナ７（複数）、パソコン８（複数）及びスキャナ付きパソコン９（複数）と接続する通信ネットワーク１０を備えてなる。
【００８３】
（イ）位置情報印刷機能付きプリンタ  
図１４でプリンタ１’はラベル管理サーバ４にラベルの登録を行なうことができる。この際、プリンタ１’はＧＰＳ受信装置２０によりプリンタ１’の現在位置（緯度、経度）を取得することができる。プリンタ１’はラベル印刷開始時にラベル管理サーバ４に印刷要求を送出し、ラベル管理サーバ４から登録済みのラベルデータを受信すると商品や製品の正しい生産（製造）位置（緯度、経度）を含んだラベルの印刷を行なう。
（ロ）ラベル管理サーバ  
ラベル管理サーバ４は大容量の磁気ディスクや光ディスク等の保存メモリ（図４）を備えており、下記（１）〜（５）を含む動作を行なう。  
（１）プリンタ１から登録要求のあったラベルデータ等の登録及び課金、
（２）ラベル印刷開始の際にプリンタ１から送信される印刷要求の受信及びサーバ５に対する位置照合要求の送信、
（３）サーバ５からの照合結果の受信及び照合結果＝「一致」の場合のプリンタ１に対する印刷許可と登録済みラベルデータ等の送信又は照合結果＝「不一致」の場合のプリンタ１に対する印刷禁止措置、
（４）出所／流通経路確認の際にスキャナ等から受信する生産現場や工場の位置（緯度、経度）を含む商品（製品）確認要求の受信及びサーバ５に対する地図送信要求の送信等、
（５）サーバ５から受信した検索結果（地図データ等）のプリンタ１への送信。
（ハ）位置情報サービスセンタのサーバ  
サーバ５はデータベース６と接続し、下記（１）〜（５）を含む動作を行なう。  
（１）生産者からサービス申込があった際の、プリンタ１の識別情報とプリンタ１の設置位置のデータベース６への登録、
（２）ラベル登録時にラベル管理サーバ４からの要求によりラベル登録するプリンタ位置に対応する地図データのラベル管理サーバ４への送信、
（３）ラベル管理サーバ４から通信ネットワーク１０を介して照合要求を受け取った場合に、プリンタ１の登録済み位置とラベル管理サーバ４から受信したプリンタ１の現在位置（＝生産現場又は製造工場の位置）との比較、及び照合結果（「一致」又は「不一致」を意味するデータ）の通信ネットワーク１０を介してのラベル管理サーバ４への送信、
（４）ラベル管理サーバから地図送信要求があった場合のデータベース６の検索、
（５）検索結果（地図データ等）のラベル管理サーバ４への送信。
（二）データベース  
データベース６は、図５に示したような位置情報データを複数含む位置情報ファイル６１と地図データファイル６２を格納している。但し、本実施の形態では位置情報ファイル６１はＣＳ−ＩＤ６１２に代えてプリンタの位置（緯度、経度）を記憶する。
（ホ）ＧＰＳ内蔵スキャナ、パソコン
スキャナ７は各流通ノードに設置され、ＧＰＳモジュールを内蔵し、流通ノードで商品又は製品に添付（貼付）されたラベルから読み取ったラベル識別情報及びＧＰＳデータから取得した流通ノードの位置情報（緯度、経度）を通信ネットワーク１０を介してラベル管理サーバ４に送信する。
【００８４】
また、パソコン８は流通ノードで読み取ったラベルが添付（貼付）されている商品又は製品の出所や流通経路の表示端末として用いられる。また、実施例では閲覧プログラムはラベル管理サーバ４から読取開始時にダウンロードするようにしているが、予めパソコン８にインストールしておくようにしてもよい。
（へ）スキャナ付きパソコン    
スキャナ付きパソコン９の機能は前述した第１の実施の形態におけるスキャナ付きパソコンと同様でよい。
【００８５】
２−２．位置情報印刷機能付きプリンタ  
（イ）位置情報機能付プリンタ  
図１５は位置情報機能付プリンタ（以下、プリンタ１’）の一実施例の構成例を示すブロック図であり、プリンタ１’は、操作部１１、データ入力インターフェイス１２、制御部１３、一時記憶メモリ１４、表示部１５、ＧＰＳ受信装置２０、データ送受信部２１、印刷イメージ生成部１８及び印刷出力部１９を備えている。
【００８６】
図１５で、操作部１１〜表示部１５と印刷イメージ生成部１８及び印刷出力部１９の構成及び機能は前述した第１の実施の形態の図３に示したプリンタ１の操作部１１〜表示部１５と印刷イメージ生成部１８及び印刷出力部１９の構成及び機能と同様でよい。
【００８７】
ＧＰＳ受信装置２０はＧＰＳから受信するデータを基にプリンタ１’の位置（緯度、経度）を制御部１３に送出する。また、データ送受信部２１は通信ネットワーク１０を介してのデータの送受信、例えば、印刷要求やラベルデータ等の送受信を行なう。
【００８８】
なお、上記図１５の例ではプリンタ１を専用プリンタとしたが、パソコン及びパソコンに接続するプリンタを用いてプリンタ１’を構成することもできる。この場合、操作部１１、データ入力インターフェイス１２、制御部１３、一時記憶メモリ１４、表示部１５、データ送受信部２１はパソコン本体側にあってＧＰＳ受信装置２０を内蔵または接続する。また、印刷イメージ生成部１８及び印刷出力部１９はパソコンに接続されるプリンタの構成である。また、プリントコントローラはパソコンに接続するプリンタにインストールされる。
（ロ）ラベル管理サーバの保存メモリ  
本実施の形態におけるラベル管理サーバ４の保存メモリのファイル構成は前述した第１の実施の形態の図４に示した保存メモリ４０のファイル構成と同様でよいが、流通ノードファイル４２は流通ノードの位置情報としてＣＳ−ＩＤの代わりに流通ノードの位置（緯度、経度）を記憶する。
（ハ）位置情報提供サービスセンタのデータベースの構成  
また、本実施の形態における位置情報提供サービスセンタのデータベース６のファイル構成は前述した第１の実施の形態の図５に示したデータベース６のファイル構成と同様でよいが、位置情報ファイル６１はＣＳ−ＩＤ６１２の代わりにプリンタ１’の位置（緯度、経度）を記憶する。
（二）ラベル登録画面、印刷ラベル等  
また、本実施の形態におけるフォーマット選択画面、ラベル作成・登録画面、は前述した第１の実施の形態の図６、図７及び図８に示した、フォーマット選択ページ５０、ラベル作成・登録ページ７０と同様のフォーマットでよく、表示されるアイコンの機能も同様でよい。また、印刷済みラベルの例も第１の実施の形態の図９に示したラベルとする。
（ホ）出所印刷システムの動作  
図１６は図１４に示した出所印刷システムの動作例を示すフローチャートであり、ユーザ（生産（製造）者）は印刷するラベルをＧＰＳ受信装置を備えたプリンタ１’を用いて作成してラベル管理サーバ４に登録しておき、所望のタイミングで登録したラベルデータを取り寄せて正しい印刷位置情報（＝プリンタ１’の登録済み位置）を印刷したラベルを印刷することができる。なお、登録済みのラベルをそのまま印刷に利用する場合は、下記ステップＵ１〜ステップＵ６を省略し、ステップＵ７のラベル印刷動作から開始するものとする。
【００８９】
＜ラベル作成・登録動作＞  
図１６で、ユーザがプリンタ１’の操作部１１のファンクションキーで「ラベル作成・登録」機能を選択すると、通信ネットワーク１０を介してラベル管理サーバ４とプリンタ１’が接続され、制御部１３はデータ送受信部２１を介してラベルリスト送信要求をラベル管理サーバ４宛て送信する（ステップＵ１）。
【００９０】
ラベル管理サーバ４はプリンタ１’からラベルリスト送信要求を受信すると、保存メモリに登録してある各ラベルのうち、ラベルリスト送信要求送信元のプリンタ１’の登録済みラベルのリストを取り出し、ラベルリスト及び各ラベルの登録料金を通信ネットワーク１０を介してラベルリスト送信要求送信元のプリンタ１’宛て送信する（ステップＵ２）。
【００９１】
プリンタ１’はラベル管理サーバ４から登録済みラベルリストを受信すると、ラベルフォーマット選択画面に登録済みラベルのリストを一覧表示して、ユーザの選択を促す。ユーザがラベルフォーマット選択画面に表示された登録済みラベルリストから作成するラベルを選択すると料金が表示され、支払方法を入力すると通信ネットワーク１０を介してラベル識別コードを含むラベルデータ送信要求がラベル管理サーバ４宛て送信される。なお、ラベルフォーマット選択画面に表示された登録済みラベルの中に所望のフォーマットがない場合にユーザが文字「Ｒ」を入力すると「ラベルフォーマット新規作成処理」（図示せず）に遷移し、所望のラベルフォーマットを作成することができる（ステップＵ３）。
【００９２】
ラベル管理サーバ４はプリンタ１’からラベルデータ送信要求を受信すると、保存メモリに登録してあるラベルデータのうちラベル送信要求に含まれているラベル識別コードと識別コードが一致するラベルデータを保存メモリから取り出し、ラベル作成・登録要求送信元のプリンタ１’宛て送信すると共に登録料金を課金ファイル４３に記憶する（ステップＵ４）。
【００９３】
プリンタ１’はラベル管理サーバ４から選択したラベルデータを受信すると、ラベル作成・登録画面に受信したラベルデータに基くラベルフォーマットでイメージデータや文字データを表示し、ユーザの追加入力を促す。ユーザがラベルフォーマットの各入力欄にデータをキー入力すると、作成されたラベルデータ通信ネットワーク１０を介してラベル管理サーバ４宛て送信される（ステップＵ５）。
【００９４】
ラベル管理サーバ４はプリンタ１’からラベルデータを受信すると、ラベル識別コードを生成し、受信したラベルデータと共に保存メモリのラベルデータファイル４１に追加登録する（ステップＵ６）。
【００９５】
＜ラベル印刷動作＞  
ユーザがプリンタ１’の操作部１１のファンクションキーで「ラベル印刷」機能を選択すると、ＧＰＳ受信装置２０はＧＰＳ受信データを基にプリンタ１’の現在の位置（緯度、経度）を取得し、位置データ（緯度、経度）を制御部１３に送出する（ステップＵ７）。
【００９６】
また、同時に、プリンタ１’はプリンタ通信ネットワーク１０を介してラベル管理サーバ４と接続し、制御部１３はデータ送受信部２１を介してプリンタ識別コード及び上記ステップＵ７で取得したプリンタ１’の現在位置を含む印刷要求をラベル管理サーバ宛て送信する。なお、上記ステップＵ６から引き続いた動作の場合は既にステップＵ１でラベル管理サーバ４とプリンタ１’は接続しているのでこのステップＵ８での接続動作は省略される（ステップＵ８）。
【００９７】
ラベル管理サーバ４はプリンタ１’から印刷要求を受信すると、受信した印刷要求に含まれているプリンタ識別コードを取り出してこのプリンタ識別コード及びプリンタ１’の現在位置データを含む位置照合要求を生成してサーバ５宛て通信ネットワーク１０を介して送信する（ステップＵ９）。
【００９８】
サーバ５はラベル管理サーバ４から位置照合要求を受信すると、受信した位置照合要求に含まれてるプリンタ識別コードをキーとしてデータベース６の位置情報ファイル６１（図５）を検索して、プリンタ１’の登録済みの位置データ（緯度、経度）を取り出し、受信した位置照合要求に含まれてるプリンタ１’の位置データ（緯度、経度）と比較して比較結果（位置照合結果）を位置照合要求送信元のラベル管理サーバ４宛て送信する。本実施の形態では、プリンタ１’が登録された位置と一致又は所定距離内にある場合は照合結果は「一致」とされ、プリンタ１’が登録された位置から所定距離以上離れている場合、つまり、プリンタ１’が持ち出されて移動されたか、異なるプリンタ１’を用いようとしている場合は照合結果は「不一致」とされる（ステップＵ１０）。
【００９９】
以下、図１６のステップＵ１１〜ステップＵ１４の動作は前述した第１の実施の形態の図１０のフローチャートのステップＳ１１〜ステップＳ１４の動作と同様である。
【０１００】
上記図１６のフローチャートに示した動作により、前述した第１の実施の形態と同様、プリンタ１’が登録された位置から移動すると印刷ラベルの印刷が制限され、商品又は製品の生産者以外の者がその生産者の商品又は製品のラベルを印刷しようとしても印刷できない。また、本実施の形態では受信したＧＰＳデータからプリンタの現在位置を取得するので、第１の実施の形態の場合のようにプリンタの位置を指定する必要がない。
【０１０１】
２−３．出所確認システム  
消費者等は前述した第１の実施の形態の図１３に示したと同様の動作で、図１４に示したスキャナ７’やスキャナ付きパソコン９のスキャナで商品又は製品に添付（貼付）されたラベルを読み取ってパソコン８又はスキャナ付きパソコン９に商品の生産地や製造工場の場所を表示（図１１）させて確認したり、流通経路を表示（図１２）して確認することができる。但し、この場合、図１３のステップＴ７でスキャナ７’はＧＰＳ受信装置で流通ノードの位置情報（緯度、経度）を取得し、ステップＴ８でラベル管理サーバ４は登録されている流通ノードの位置情報（緯度、経度）のうちから流通経路確認要求送信元のプリンタ識別コードに対応した流通ノード（複数）の位置情報（緯度、経度）を取り出し、ステップＴ９で、サーバ５はラベル管理サーバ４から受信した複数の流通ノードの位置情報を含む地図データをデータベースから検索し、ラベル管理サーバ４に送信するようにする。
【０１０２】
これにより、前述した第１の実施の形態と同様の効果、つまり、生産者や流通経路を確認することができるので生産者の真正な商品や製品以外の偽ブランド商品（製品）を排除することができる。
【０１０３】
以上、本発明の幾つかの実施例について説明したが本発明は上記各実施例に限定されるものではなく、種々の変形実施が可能であることはいうまでもない。
【図面の簡単な説明】
【０１０４】
【図１】本発明の出所印刷／出所確認システムの概要を示すフローチャートである。
【図２】出所印刷／出所確認システムの一実施例のネットワーク構成を示す図である。
【図３】位置情報機能付プリンタの一実施例の構成例を示すブロック図である。
【図４】ラベル管理サーバの保存メモリのファイル構成例の説明図である。
【図５】位置情報提供サービスセンタのデータベースのファイル構成例の説明図である。
【図６】ラベル登録用画面の一実施例を示す図である。
【図７】ラベル作成・登録画面の一実施例を示す図である。
【図８】印刷位置登録画面の一実施例を示す図である。
【図９】印刷位置情報付きラベルの一実施例を示す図である。
【図１０】出所印刷システムの動作例を示すフローチャートである。
【図１１】生産者確認画面の一実施例を示す図である。
【図１２】流通経路確認画面の一実施例を示す図である。
【図１３】出所確認システムの動作例を示すフローチャートである。
【図１４】出所印刷／出所確認システムの一実施例のネットワーク構成を示す図である。
【図１５】本発明の位置情報機能付プリンタの一実施例の構成例を示すブロック図である。
【図１６】出所印刷システムの動作例を示すフローチャートである。
【符号の説明】
【０１０５】
１、１’  プリンタ（ラベル印刷装置）
４  ラベル管理サーバ（出所証明装置、受信手段、送信手段、データ送受信手段）
５  サーバ（出所証明装置、位置照合手段）
６  データベース（データ登録手段、位置照合手段）
７  ＰＨＳ内蔵スキャナ（第１のラベル読取装置）
７’  ＧＰＳ内蔵スキャナ（第１のラベル読取装置）
８  パソコン（表示端末）
９  スキャナ付きパソコン（第２のラベル読取装置、表示端末）
１０  通信ネットワーク
１１  操作部
１２  データ入力インターフェイス
１３  制御部（ラベルデータ取得手段）
１４  一時記憶メモリ
１５  表示部
１６  ＰＨＳ端末、ＰＨＳモジュール（位置情報取得手段、データ送受信手段）
１７  通信インターフェイス
１８  印刷イメージ生成部（印刷手段）
１９  印刷出力部（印刷手段）
２０  ＧＰＳ受信装置、ＧＰＳ受信モジュール（位置情報取得手段）
２１  データ送受信部（位置情報取得手段、データ送受信手段）
５０  ラベル登録用ページ
７０  ラベル作成・登録ページ
８０  印刷位置登録ページ
９０  印刷位置情報付きラベル（ラベル）
１１０  生産者確認ページ
１２０  流通経路確認ページ
４１１  ラベル識別コード
６１２  ＣＳ−ＩＤ（プリンタ位置情報、出所位置情報）
【図１】
2005243041.tif 000003
【図２】
2005243041.tif 000004
【図３】
2005243041.tif 000005
【図４】
2005243041.tif 000006
【図５】
2005243041.tif 000007
【図６】
2005243041.tif 000008
【図７】
2005243041.tif 000009
【図８】
2005243041.tif 000010
【図９】
2005243041.tif 000011
【図１０】
2005243041.tif 000012
【図１１】
2005243041.tif 000013
【図１２】
2005243041.tif 000014
【図１３】
2005243041.tif 000015
【図１４】
2005243041.tif 000016
【図１５】
2005243041.tif 000017
【図１６】
2005243041.tif 000018